(57)【要約】【課題】撮影に支障がないように撮像装置の起動時の電力消費を低減し、電池による長時間の撮影を可能にする撮像装置および撮像装置の起動方法を提供することを課題とする。【解決手段】少なくとも２つの回路部と、回路部に個別に電力を供給する電源部と、を有する撮像装置において、撮像装置の使用状態に基づいて、起動モードを判定する起動モード判定手段と、起動モード判定手段が判定した前記起動モードの手順に従って、電源部から回路部への電力供給を制御する電源制御手段と、を備え、起動モード判定手段は、撮像装置の撮影時における使用状態に応じて、少なくとも２つの起動モードを判定することを特徴とする撮像装置。【選択図】図３
2007221205.tif 000002
【特許請求の範囲】
【請求項１】
少なくとも２つの回路部と、
前記回路部に個別に電力を供給する電源部と、
を有する撮像装置において、
前記撮像装置の使用状態に基づいて、起動モードを判定する起動モード判定手段と、
前記起動モード判定手段が判定した前記起動モードの手順に従って、前記電源部から前記回路部への電力供給を制御する電源制御手段と、
を備え、
前記起動モード判定手段は、前記撮像装置の撮影時における使用状態に応じて、少なくとも２つの起動モードを判定することを特徴とする撮像装置。
【請求項２】
前記起動モードには少なくとも２つの起動モードを含み、
第１の起動モードより第２の起動モードの方が、
前記電源制御手段が、第１の回路部に電力供給を開始した後、第２の回路部に電力供給を開始する時間間隔が長いこと、
を特徴とする請求項１に記載の撮像装置。
【請求項３】
前記撮像装置は、撮影レンズを駆動するレンズ駆動手段を有し、
前記電源制御手段は、
前記第２の回路部である前記レンズ駆動手段の回路部に、
前記電源部から、
前記第２の起動モードで電力を供給することを特徴とする請求項１または２に記載の撮像装置。
【請求項４】
前記撮像装置は、
間隔を置いて連続撮影を行うインターバル撮影モードを設定する撮影モード設定手段を有し、
前記撮像装置の使用状態がインターバル撮影モードのとき、
前記起動モード判定手段は、起動モードを前記第２の起動モードと判定する、
ことを特徴とする請求項２乃至３の何れか１項に記載の撮像装置。
【請求項５】
前記撮像装置は、
前記撮像装置を三脚に取り付ける三脚ネジと、
前記撮像装置を三脚に取り付けられた状態を検知する三脚検知手段と、
を有し、
前記三脚検知手段が、
前記撮像装置が三脚に取り付けた状態であることを検知したとき、
前記起動モード判定手段は、前記第２の起動モードと判定する、
ことを特徴とする請求項１乃至４の何れか１項に記載の撮像装置。
【請求項６】
前記撮像装置は、
電池電圧を、複数の閾値電圧と比較する電圧比較手段を有し、
前記電圧比較手段が、電池電圧を第１の閾値電圧以上、第２の閾値電圧以下と判定したとき、
前記起動モード判定手段は、前記前記第２の起動モードと判定する、
ことを特徴とする請求項１乃至５の何れか１項に記載の撮像装置。
【請求項７】
撮像装置の使用状態を判定する使用状態判定工程と、
予め設定された複数の起動モードの中から、前記使用状態判定工程の判定結果に対応する、撮影時の起動モードを判定する起動モード判定工程と、
前記起動モード判定工程で判定した前記判定結果に対応する起動モードに基づいて、電源部から回路部への電力供給を行う起動工程と、
を含むことを特徴とする撮像装置の起動方法。
【発明の詳細な説明】
【技術分野】
【０００１】
本発明は、撮像装置および撮像装置の起動方法に関する。
【背景技術】
【０００２】
デジタルカメラなどの撮像装置は小型化が進み、それにともなって電池の大きさも小さくなっている。液晶表示のバックライト、フラッシュの発光や光学系の駆動のために多くの電力を消費すると、電源電圧が降下してデジタルカメラの処理システムがダウンする可能性が高くなる。そのため消費電力を低減し、撮影可能時間を長くするため、ユーザが省電力化のモードを選択し、各機能における省電力化の度合いを個々に独立して設定する方法が提案されている（例えば、特許文献１参照）。また、記録制御手段に撮像手段より低速の駆動クロックを与えることにより、記録時の消費電力を低減し、電池寿命を長くする方法が提案されている（例えば、特許文献２参照）。
【特許文献１】特開２００１−３２０６２６号公報
【特許文献２】特開２００３−３２５３５号公報
【発明の開示】
【発明が解決しようとする課題】
【０００３】
しかしながら、特許文献１に記載されている省電力化の方法では、ユーザが省電力化のモードを選択する必要があり、面倒であった。また、省電力化のモードを選択した後、次に撮影しようとしたとき、省電力化のモードを解除するのを忘れて、必要な機能が動作せずシャッタチャンスを逃すこともあった。
【０００４】
また、特許文献２に記載されている省電力化の方法では、最も多くの電力を消費するデジタルカメラの起動時の消費電力を低減することはできない。そのため、起動時に電池電圧が低下し、正常な起動動作ができないため撮影できなくなるという問題があった。
【０００５】
本発明は、上記課題に鑑みてなされたものであって、撮影に支障がないように撮像装置の起動時の電力消費を低減し、電池による長時間の撮影を可能にする撮像装置および撮像装置の起動方法を提供することを課題とする。
【課題を解決するための手段】
【０００６】
本発明の目的は、下記構成により達成することができる。
【０００７】
１．
少なくとも２つの回路部と、
前記回路部に個別に電力を供給する電源部と、
を有する撮像装置において、
前記撮像装置の使用状態に基づいて、起動モードを判定する起動モード判定手段と、
前記起動モード判定手段が判定した前記起動モードの手順に従って、前記電源部から前記回路部への電力供給を制御する電源制御手段と、
を備え、
前記起動モード判定手段は、前記撮像装置の撮影時における使用状態に応じて、少なくとも２つの起動モードを判定することを特徴とする撮像装置。
【０００８】
２．
前記起動モードには少なくとも２つの起動モードを含み、
第１の起動モードより第２の起動モードの方が、
前記電源制御手段が、第１の回路部に電力供給を開始した後、第２の回路部に電力供給を開始する時間間隔が長いこと、
を特徴とする１に記載の撮像装置。
【０００９】
３．
前記撮像装置は、撮影レンズを駆動するレンズ駆動手段を有し、
前記電源制御手段は、
前記第２の回路部である前記レンズ駆動手段の回路部に、
前記電源部から、
前記第２の起動モードで電力を供給することを特徴とする１または２に記載の撮像装置。
【００１０】
４．
前記撮像装置は、
間隔を置いて連続撮影を行うインターバル撮影モードを設定する撮影モード設定手段を有し、
前記撮像装置の使用状態がインターバル撮影モードのとき、
前記起動モード判定手段は、起動モードを前記第２の起動モードと判定する、
ことを特徴とする２乃至３の何れか１項に記載の撮像装置。
【００１１】
５．
前記撮像装置は、
前記撮像装置を三脚に取り付ける三脚ネジと、
前記撮像装置を三脚に取り付けられた状態を検知する三脚検知手段と、
を有し、
前記三脚検知手段が、
前記撮像装置が三脚に取り付けた状態であることを検知したとき、
前記起動モード判定手段は、前記第２の起動モードと判定する、
ことを特徴とする１乃至４の何れか１項に記載の撮像装置。
【００１２】
６．
前記撮像装置は、
電池電圧を、複数の閾値電圧と比較する電圧比較手段を有し、
前記電圧比較手段が、電池電圧を第１の閾値電圧以上、第２の閾値電圧以下と判定したとき、
前記起動モード判定手段は、前記前記第２の起動モードと判定する、
ことを特徴とする１乃至５の何れか１項に記載の撮像装置。
【００１３】
７．
撮像装置の使用状態を判定する使用状態判定工程と、
予め設定された複数の起動モードの中から、前記使用状態判定工程の判定結果に対応する、撮影時の起動モードを判定する起動モード判定工程と、
前記起動モード判定工程で判定した前記判定結果に対応する起動モードに基づいて、電源部から回路部への電力供給を行う起動工程と、
を含むことを特徴とする撮像装置の起動方法。
【発明の効果】
【００１４】
撮影に支障がないように、デジタルカメラの起動時の電力消費を低減し、電池による長時間の撮影を可能にする撮像装置および撮像装置の起動方法を提供できる。特に、デジタルカメラの起動を急がない場合を検出して、起動時の電力消費を低減するので効果的である。
【発明を実施するための最良の形態】
【００１５】
以下、図面に基づき本発明の実施の形態を説明する。
【００１６】
図１は、本発明に係る撮像装置の一例であるデジタルカメラ１の外観図である。図１（ａ）はデジタルカメラ１前面の斜視図、図１（ｂ）はデジタルカメラ１背面の斜視図である。
【００１７】
図１（ａ）において、８１は撮影レンズ、８２はファインダ窓、８３はシャッタボタン、８４はフラッシュ発光部、８６は調光用センサ窓、８７はストラップ取り付け部である。８９はレンズカバーであり、開状態で図示のように撮影レンズ８１は撮影可能状態となり、閉方向へ少し移動させることで撮影レンズ８１は沈胴する。即ち、レンズカバー８９の開閉とカメラの電源スイッチ９４が連動している。
【００１８】
レリーズボタン８３は半押し（以後スイッチＳＷ１のＯＮという）によりカメラの撮影準備動作、即ち焦点合わせ動作（ＡＦ機能）や露光条件の決定動作（ＡＥ機能）が行われ、全押し（以後スイッチＳＷ２のＯＮという）により撮影露光動作が行われる。
【００１９】
図１（ｂ）において、９１はファインダ接眼部、９２は赤と緑の表示ランプであり、ＡＦやＡＥの情報をスイッチＳＷ１がＯＮされた時、点灯もしくは点滅により撮影者に表示するものである。９３はズームボタンであり、ズームアップ、ズームダウンをおこなうボタンである。
【００２０】
９５はメニュー／セットボタン、９６は選択ボタンで４方向スイッチ、ＬＣＤ１８１は例えば液晶パネルなどを用いた画像表示部であり画像やその他文字情報等を表示する。メニュー／セットボタン９５で、ＬＣＤ１８１上に各種のメニューを表示させ、選択ボタン９６で選択し、メニュー／セットボタン９５で確定させる機能を有している。前記メニューには撮影モードの選択メニューがあり、撮影者はメニュー／セットボタン９５、選択ボタン９６により、１コマ撮影モード、連続撮影モード、インターバル撮影モードを設定できる。インターバル撮影モードは、間隔を置いて連続撮影を行う撮影モードである。撮影間隔と撮影コマ数は、メニュー／セットボタン９５、選択ボタン９６を用いて設定する。メニュー／セットボタン９５、選択ボタン９６は本発明の撮影モード設定手段である。
【００２１】
再生ボタン９７は、撮影した画像の再生をおこなうボタンである。９８はディスプレイボタンで、ＬＣＤ１８１に表示された画像やその他文字情報の表示や消去を選択するボタンである。９９は消去ボタンで、撮影記録した画像の消去をおこなうボタンである。１０１は三脚ネジ、１０２は電池／カード蓋、１０５は三脚取り付け検知スイッチである。三脚に取り付けた撮影では、三脚ネジ１０１を用いてデジタルカメラ１を三脚に固定して撮影する。三脚取り付け検知スイッチ１０５は、デジタルカメラ１を三脚に取り付ける三脚取り付け検知スイッチ１０５の突起部が押されてオンになる。三脚取り付け検知スイッチ１０５は、三脚に取り付けた状態を検知する本発明の三脚検知手段である。
【００２２】
電池／カード蓋１０２の内部には、本カメラの電源を供給する電池２７と、撮影した画像を記録するカード型のメモリカード２５が挿脱可能になっている。
【００２３】
本発明に係る撮像装置の制御系について図２を用いて説明する。
【００２４】
図２は本発明に係わるデジタルカメラ１の内部構成を示す概略ブロック図である。なお、図１に示したものと同じ構成要素には同符号を付してその説明を省略する。
【００２５】
デジタルカメラ１は、撮影レンズ８１、撮像部２９、画像処理部２２、メインマイコン部７、ＬＣＤ１８１等の複数の回路部を有する。電源部２８は電池２７から入力された電圧を、各回路部に必要な電圧に変換し、メインマイコン部７の電源制御部６０からの指令により各回路部に供給する。例えば図２のように、電源部２８は、メインマイコン部７に電圧Ｖａ、画像処理部２２および画像メモリ２３には電圧Ｖｂ、撮影レンズ８１には電圧Ｖｃ、ＬＣＤ１８１には電圧Ｖｄ、撮像部２９には電圧Ｖｅを供給する。なお、メインマイコン部７に供給する電圧Ｖａは、電池２７が電源部２８に接続されていれば、常に電源部２８から供給されている。
【００２６】
電源部２８は本発明の電源部、電源制御部６０は本発明の電源制御手段である。
【００２７】
なお、本実施形態では説明を簡略化するため各回路部へ供給する電圧は単一の電圧で説明するが、複数の電圧であっても良い。
【００２８】
メインマイコン部７は、マイクロコンピュータを備えて構成される。すなわち、メインマイコン部７は、各種演算処理を行うＣＰＵ７０と、演算を行うための作業領域となるＲＡＭ７５と、制御プログラム等が記憶されるＲＯＭ７６とを備え、デジタルカメラ１の各処理部の動作を統括的に制御する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００２９】
操作部６０の独立して設けられた複数の操作部材であるシャッタボタン８３、ズームボタン９３、ズームボタン９３、メニュー／セットボタン９５、選択ボタン９６、再生ボタン９７、ディスプレイボタン９８、消去ボタン９９、および電源スイッチ９４の出力はメインマイコン部７０に入力されている。
【００３０】
操作者（ユーザ）は、この操作部６０にて所定の操作を行うことにより、各種の設定操作を行うことができる。
【００３１】
また、三脚検知スイッチ１０５の出力もＣＰＵ７０に入力されている。
【００３２】
撮影レンズ８１は、複数のレンズを有するレンズ部３２を備えている。これら複数のレンズの光軸上の位置を、ズーム・フォーカス駆動部３３２が駆動することにより移動させ、所定の位置に移動する。レンズ部３２を、起動時に撮影可能状態にしたり、沈胴状態にする制御は、ＣＰＵ７０が指令し、ズーム・フォーカス駆動部３３２が複数のレンズの光軸上の位置の移動を行う。
【００３３】
ズーム・フォーカス駆動部３３２は本発明のレンズ駆動手段である。
【００３４】
また、これら複数のレンズの内、フォーカシングに用られるレンズは、ＡＦ制御部７１からの制御信号により、ズーム・フォーカス駆動部３３２が駆動して焦点調節を行う。さらに、ＣＰＵ７０のＡＥ制御部７１は絞り・シャッター駆動部３３１を駆動し、絞り３３を所定の絞り値まで所定の時間開閉し、絞り値と電荷蓄積時間で決定される露光量を調定する。
【００３５】
なお、本発明は、ＣＣＤ（Ｃｈａｒｇｅ  Ｃｏｕｐｌｅｄ  Ｄｅｖｉｃｅ）、ＭＯＳ（Ｍｅｔａｌ  Ｏｘｉｄｅ  Ｓｅｍｉｃｏｎｄｕｃｔｏｒ）等の固体撮像素子に適用可能であるが、本実施形態では、固体撮像素子としてＣＣＤ５を用いた場合について説明する。
【００３６】
撮像部２９はＣＣＤ５、ＣＣＤ駆動部６、ＡＤ変換部２１を有し、電源部２８から電圧Ｖｅを供給される。
【００３７】
撮影前において、ＣＰＵ７０の指令により、ＣＣＤ駆動部６はタイミング信号を発生し、ＣＣＤ５からライブビュー画像の読み出し駆動を行っている。
【００３８】
撮影時は、ＡＥ制御部７１は絞り３３を一旦閉じ、その間にＣＣＤ駆動部６がＣＣＤ５の電荷を掃き出す。その後、ＡＥ制御部７１は絞り３３を開き、所定の電荷蓄積時間の間、ＣＣＤ５を露光する。露光後、ＣＣＤ駆動部のタイミング信号により、ＣＣＤ５から撮影画像の読み出しが始まる。
【００３９】
Ａ／Ｄ変換部２１、画像処理部２２および画像メモリ２３は、ＣＣＤ５にて取得された画像を扱う処理部を示している。すなわち、ＣＣＤ５にて取得されたアナログ信号の画像は、Ａ／Ｄ変換部２１にてデジタル信号に変換される。
【００４０】
画像処理部２２はガンマ補正部２２１、輪郭補正部２２２、画像圧縮部２２３、デジタルズーム部２２４などの画像処理機能を有する。ガンマ補正部２２１、輪郭補正部２２２の補正量の設定値はメインマイコン部７からの指令により設定される。また、デジタルズーム部２２４の拡大倍率の設定はメインマイコン部７の変倍制御部７７からの指令により設定される。
【００４１】
ガンマ補正部２２１は、入出力特性である階調特性を表すルックアップテーブルを備え、入力されたデジタル値に対応するデジタル値に変換して出力する機能を有している。すなわち、Ａ／Ｄ変換部２１で変換されたデジタル信号を、ＣＰＵ７０が前記ルックアップテーブルに設定する階調特性で階調変換する。
【００４２】
輪郭補正部２２２は、ＣＰＵ７０の設定する入出力特性である周波数応答特性で画像の輪郭などを補正し、画像メモリ２３に一時的に格納する。
【００４３】
画像圧縮部２２３は、画像処理後のデジタル信号をＪＰＥＧ形式などに圧縮する。
【００４４】
手ぶれ検出部４４は、角速度を検出する角速度センサを有し、前記角速度センサが検出した角速度に応じた電圧を出力する。メインマイコン部７は、入力された検出部４４を構成する各センサの出力電圧をデジタル値に変換し、角速度とする。
【００４５】
メインマイコン部７は、自動合焦制御部（ＡＦ制御部）７１、自動露出制御部（ＡＥ制御部）７２、起動モード判定部７８、電圧比較部８０，電源制御部６０などの各種の制御機能を有する。メインマイコン部７の各種の機能は、予めＲＯＭ７６内に記憶される制御プログラムに従ってＣＰＵ７０が演算処理を行うことにより実現される。
【００４６】
また、圧縮後の画像をメモリカード２５に記録したり、またＬＣＤ１８１などに表示出力する制御機能も持っている。このような画像に対する各種の処理もメインマイコン部７の制御に基づいて行われる。
【００４７】
ＡＦ制御部７１は、ズーム・フォーカス駆動部３３２を制御して、フォーカシングレンズを小刻みに移動させ、それぞれで得られた画像データに基づいて画像の評価をおこない最適なフォーカシングレンズの位置を決定する（ＡＦ機能）。
【００４８】
ＡＥ制御部７２は、撮影前に画像メモリ２３より得られる画像データに基づいて、撮影時の絞り値とシャッタ速度の露光条件を設定する（ＡＥ機能）。
【００４９】
また、ＡＥ制御部７２は、フラッシュ撮影時においてフラッシュ９４の制御も行う。
【００５０】
手ぶれ制御部７８は、手ぶれ検出部４４から角速度の情報を得てレンズ部３２の図示しない結像面におけるぶれ量を算出し、シャッタ速度と焦点距離から求めた手ぶれ限界値と比較した結果に応じて、ズームフォーカス駆動部３３２を制御する。
【００５１】
起動モード判定部７９は、デジタルカメラ１の使用状態に基づいて、適切な起動モードを判定する。起動モード判定部７９は、本発明の起動モード判定手段である。
【００５２】
操作者（ユーザ）が操作部６０で行った設定と、三脚取り付け検知スイッチ１０５の検知状態は、ＣＰＵ７０に入力され、カメラの使用状態としてＣＰＵ７０がＲＡＭ７５に一時記憶する。
【００５３】
電源制御部６０は、電源部２８に指令し、各回路部への電力供給を制御する。電源制御部６０は、本発明の電源制御手段である。
【００５４】
電圧比較部８０は、電源部２８に接続されている電池２７の電圧が、予め決められた閾値電圧以上か、閾値電圧未満かを判定する。電圧比較部８０は、本発明の電圧比較手段である。
【００５５】
本発明に係る撮像装置の電源投入後の動作について説明する。
【００５６】
図３は、第１の実施形態における起動時の流れを示すフローチャートである。なお、図３においては、デジタルカメラ１の電源スイッチ９４がオンになってからの処理について説明する。また、デジタルカメラ１の撮影モード等各種設定は、予め撮影者が操作部６０を操作して設定し、カメラの使用状態としてＲＡＭ７５に記憶されているものとする。インターバル撮影時はＣＰＵ７０により、自動的に所定の周期で電源スイッチ９４がオンになるものとする。
【００５７】
Ｓ１０２：電池２７の電圧ＶｏとＶｔｈ０とを比較するステップである。
【００５８】
電圧比較部８０は、メインマイコン部７に入力された後、図示せぬＡ／Ｄ変換器によりデジタル値に変換された電池２７の電圧Ｖｏと、予めＲＯＭ７６に記憶されているバッテリチェックのための閾値電圧Ｖｔｈ０とを比較する（ステップＳ１０２）。
【００５９】
Ｖｏ＜Ｖｔｈ０の場合、（ステップＳ１０２；Ｎｏ）、ステップＳ１２０に進む。
【００６０】
Ｓ１２０：電池切れ警告を行うステップである。
【００６１】
Ｖｏ＜Ｖｔｈ０の場合、電池２７の電圧が不十分なので、ＣＰＵ７０は電池切れ警告を行って起動時の処理を終了する（ステップＳ１２０）。
【００６２】
Ｖｏ≧Ｖｔｈ０の場合、（ステップＳ１０２；Ｙｅｓ）、ステップＳ１０３に進む。
【００６３】
Ｓ１０３：起動モード判定部７９が、撮影モードか、否か、判定するステップである。
【００６４】
起動モード判定部７９は、ＲＡＭ７５に記憶されているデジタルカメラ１の使用状態を読み出し、撮影モードか、否か、判定する（ステップＳ１０３）。
【００６５】
撮影モードではない場合、（ステップＳ１０３；Ｎｏ）、ステップＳ１３０に進む。
【００６６】
Ｓ１３０：再生時の起動を行うステップである。
【００６７】
ＣＰＵ７０は、再生時の起動ルーチンをコールする（ステップＳ１３０）。再生時の起動ルーチンについては、後に詳しく説明する。
【００６８】
Ｓ１３１：ユーザが再生操作を行った画像を再生するステップである。
【００６９】
再生ルーチンにより処理は行われる。ユーザが再生操作を行ったメモリカード２５に記憶されている画像を、画像処理部２２で再生し、ＬＣＤ１８１に表示する（ステップＳ１３１）。
【００７０】
撮影モードの場合、（ステップＳ１０３；Ｙｅｓ）、ステップＳ１０４に進む。
【００７１】
Ｓ１０４：インターバル撮影モードか、否か、判定するステップである。
【００７２】
起動モード判定部７９は、ＲＡＭ７５に記憶されているデジタルカメラ１の使用状態を読み出し、インターバル撮影モードか、否か、判定する（ステップＳ１０４）。
【００７３】
インターバル撮影ではない場合、（ステップＳ１０４；Ｎｏ）、ステップＳ１０７に進む。
【００７４】
Ｓ１０７：通常撮影時の起動を行うステップである。
【００７５】
インターバル撮影ではない場合、起動モード判定部７９は、通常撮影時起動ルーチンをコールし、撮影準備状態にするための起動を行う（ステップＳ１０７）。通常撮影時起動ルーチンでは、最小限の起動時間で撮影準備を行うことができる。通常撮影時起動ルーチンについては、後に詳しく説明する。通常撮影時起動ルーチン終了後、ステップＳ１０９に進む。
【００７６】
インターバル撮影の場合、（ステップＳ１０４；Ｙｅｓ）、ステップＳ１０８に進む。
【００７７】
Ｓ１０８：省電力撮影時の起動を行うステップである。
【００７８】
インターバル撮影の場合、起動モード判定部７９は、省電力撮影時起動ルーチンをコールし、撮影準備状態にするための起動を行う（ステップＳ１０７）。省電力撮影時起動ルーチンでは、起動時の電力消費を低減し、電池２７による長時間の撮影を可能にすることができる。省電力撮影時起動ルーチンについては、後に詳しく説明する。省電力撮影時起動ルーチン終了後、ステップＳ１０９に進む。
【００７９】
Ｓ１０９：撮影待機状態のステップである。
【００８０】
デジタルカメラ１の各回路部が撮影可能な状態になり、ユーザはＬＣＤ１８１に表示されたライブビュー画像を見て画角を調整し、いつでもシャッタボタン８３を押せる状態である（ステップＳ１０９）。
【００８１】
Ｓ１１０：撮影のステップである。
【００８２】
ユーザがシャッタボタン８３を押すと、ＣＰＵ７０は、ＡＦ制御、ＡＥ制御の後、ＣＣＤ５に露光し、ＣＣＤ５から得られた画像データを、一旦画像メモリ２３に記憶する。次に、画像メモリ２３に記憶されている撮影画像データを、画像処理部２２により、ホワイトバランス補正やガンマ補正、輪郭補正など所定の画像処理を行う。画像処理後、ＣＰＵ７０の指令により、画像圧縮部２２３により圧縮された撮影画像データを順次メモリカード２５に記録する。インターバル撮影時は、この後ＣＰＵ７０の指令により電源スイッチ９４がオフになる。
【００８３】
以上で撮影モードの処理は終了である。
【００８４】
次に、本実施形態の起動時の処理について、図４、図５、図６を用いて説明する。
【００８５】
図４は、各回路部への電源供給のタイミングと電池電圧との関係の一例を説明するための説明図である。図４（ａ）は通常撮影起動時の電源供給のタイミングと電池電圧との関係の一例であり、図４（ｂ）は省電力撮影起動時の電源供給のタイミングと電池電圧との関係の一例である。
【００８６】
図５は、通常撮影起動ルーチンの手順を示すフローチャートである。また、図６は、省電力撮影起動ルーチンの手順を示すフローチャートである。
【００８７】
最初に図４（ａ）と図５を用いて通常撮影起動ルーチンの手順について説明する。
【００８８】
Ｓ２０１：電源部２８が、電圧Ｖｂを供給開始するステップである。
【００８９】
電源制御部６０は、電源部２８に指令し、画像処理部２２と画像メモリ２３を含む回路部に電圧Ｖｂを、図４（ａ）のＴ０のタイミングで供給開始する。
【００９０】
Ｓ２０２：画像処理部２２が初期化するステップである。
【００９１】
電圧Ｖｂが供給されると、画像処理部２２は初期化を開始し、画像処理部２２自身と画像メモリ２３を初期化する。初期化は例えば画像メモリ２３の全てのビットを０を書き込み処理を行うので、多くの電力を消費し、電池電圧Ｖｏは例えばＶＬ１まで低下する。画像処理部２２が初期化の完了までに時間ｔ１（ｍｓ）を要し、Ｔ２のタイミングで完了する。
【００９２】
Ｓ２０３：電源制御部６０が、時間ｔ０（ｍｓ）の間待つステップである。
【００９３】
ステップＳ２０２において、電力消費のピークが過ぎ、電池電圧ＶｏがＶＬ１より高くなる時間ｔ０（ｍｓ）の間、待機する。
【００９４】
Ｓ２０４：電源部２８が、電圧Ｖｃを供給開始するステップである。
【００９５】
電源制御部６０は、電源部２８に指令し、撮影レンズ８１の回路部に電圧Ｖｃを、図４（ａ）のＴ１のタイミングで供給を開始する。
【００９６】
Ｓ２０５：ＣＰＵ７０が、レンズ位置を初期化するステップである。
【００９７】
ＣＰＵ７０は、ズーム、フォーカス駆動部３３２に指令し、撮影レンズ８１のレンズ部３２を所定の撮影可能位置までの移動を開始する。なお、レンズ部３２が所定の撮影可能位置まで移動を完了するまでに時間ｔ２（ｍｓ）を要し、図４（ａ）のＴ３のタイミングで完了する。
【００９８】
Ｓ２０６：電源部２８が、電圧Ｖｅを供給開始するステップである。
【００９９】
次に、電源制御部６０は、電源部２８に指令し、撮像部２９の回路部に電圧Ｖｅの供給を開始する。
【０１００】
Ｓ２０７：電源部２８が、電圧Ｖｄを供給開始するステップである。
【０１０１】
次に、電源制御部６０は、電源部２８に指令し、ＬＣＤ１８１の回路部に電圧Ｖｄの供給を開始する。
【０１０２】
以上で通常撮影起動時の電源供給の手順は終了である。
【０１０３】
このように、Ｔ０からＴ２の間は、画像処理部２２の初期化と、レンズ部３２の移動、および電圧Ｖｅと電圧Ｖｄの供給開始が重なるので、多くの電力を消費し、電池電圧ＶｏはＶＬ２まで低下する。Ｔ３のタイミングで、レンズ部３２が所定の撮影可能位置まで移動を完了し、撮影準備が完了すると、電力消費は定常状態になり電源電圧ＶｏはＶＬ３まで回復する。
【０１０４】
次に図４（ｂ）と図６を用いて省電力撮影起動ルーチンの手順について説明する。図５と同一ステップには同番号を付し、説明を省略する。
【０１０５】
図６は省電力撮影起動ルーチンの手順を説明するフローチャートである。
【０１０６】
Ｓ２０１：電源部２８が、電圧Ｖｂを供給開始するステップである。
【０１０７】
Ｓ２０２：画像処理部２２が初期化するステップである。
【０１０８】
Ｓ３０２：電源制御部６０が、時間ｔ１（ｍｓ）の間待つステップである。
【０１０９】
ステップＳ３０２において、電源制御部６０は画像処理部２２が初期化が完了するまでの時間ｔ１（ｍｓ）の間、待機する。画像処理部２２と画像メモリ２３の初期化が完了するＴ２のタイミングでは、電力消費が減少し、電池電圧ＶｏはＶＬ４まで上昇する。
【０１１０】
Ｓ３０３：電源部２８が、電圧Ｖｃを供給開始するステップである。
【０１１１】
電源制御部６０は、電源部２８に指令し、撮影レンズ８１の回路部に電圧Ｖｃを、図４（ｂ）のＴ４のタイミングで供給を開始する。
【０１１２】
Ｓ３０４：ＣＰＵ７０が、レンズ位置を初期化するステップである。
【０１１３】
ＣＰＵ７０は、ズーム、フォーカス駆動部３３２に指令し、撮影レンズ８１のレンズ部３２を所定の撮影可能位置までの移動を開始する。
【０１１４】
Ｓ３０５：電源制御部６０が、時間ｔ２（ｍｓ）の間待つステップである。
【０１１５】
ステップＳ３０５において、電源制御部６０はレンズ部３２を所定の撮影可能位置までの移動が完了するまでの時間ｔ２（ｍｓ）の間、待機する。レンズ部３２の所定の撮影可能位置までの移動が完了するＴ５のタイミングでは、電力消費が減少し、電池電圧Ｖｏは上昇している。
【０１１６】
Ｓ３０６：電源制御部６０が、電圧Ｖｅを供給するステップである。
【０１１７】
Ｔ５のタイミング後、電源制御部６０は、電源部２８に指令し、撮像部２９の回路部に電圧Ｖｅの供給を開始する。
【０１１８】
Ｓ３０７：電源制御部６０が、電圧Ｖｄを供給するステップである。
【０１１９】
次に、電源制御部６０は、電源部２８に指令し、ＬＣＤ１８１の回路部に電圧Ｖｄの供給を開始する。
【０１２０】
図４（ｂ）に示すように、電圧Ｖｅ、電圧Ｖｄを供給開始した直後は若干電源電圧Ｖｏが低下するが、ｔ３（ｍｓ）後には定常状態になり、Ｔ６のタイミングで撮影可能な準備状態になる。
【０１２１】
以上で省電力撮影起動時の電源供給の手順は終了である。
【０１２２】
このように、Ｔ０からＴ２の間は、画像処理部２２の初期化を行い、Ｔ４からＴ５の間は、レンズ部３２の移動を行うので、電圧Ｖｅと電圧Ｖｄの供給開始が重ならない。そのため、起動電流が流れるタイミングが分散し、電池電圧Ｖｏは例えば電圧ＶＬ５までしか低下せずにすむ。一方、図４（ａ）の通常撮影起動時における電池電圧Ｖｏは、画像処理部２２の初期化と、レンズ部３２の移動が重なって大電流が流れるため、電池２７の内部抵抗による電圧低下が増し、電圧ＶＬ５より低い電圧ＶＬ２まで低下する。
【０１２３】
通常撮影起動時のように短時間に大電流を流すと、電池の残容量が少ない場合、大きな電圧降下を生じ、バッテリチェック電圧にまで電池電圧が降下してしまうので、起動ができなくなることがある。一方、省電力撮影起動時では、大きな電圧降下が発生しないように起動するので、バッテリチェック電圧まで電池電圧が降下しない。したがって、省電力撮影起動時では、起動が可能になり、電池による長時間の撮影が可能になる。
【０１２４】
図７を用いて再生起動ルーチンの手順について説明する。
【０１２５】
Ｓ７０１：電源部２８が、電圧Ｖｂを供給開始するステップである。
【０１２６】
電源制御部６０は、電源部２８に指令し、画像処理部２２と画像メモリ２３を含む回路部に電圧Ｖｂを供給開始する。
【０１２７】
Ｓ７０２：画像処理部２２が初期化するステップである。
【０１２８】
電圧Ｖｂが供給されると、画像処理部２２は初期化を開始し、画像処理部２２自身と画像メモリ２３を初期化する。
【０１２９】
Ｓ７０３：電源部２８が、電圧Ｖｄを供給開始するステップである。
【０１３０】
次に、電源制御部６０は、電源部２８に指令し、ＬＣＤ１８１の回路部に電圧Ｖｄの供給を開始する。
【０１３１】
以上で再生起動時の電源供給の手順は終了である。
【０１３２】
次に図８を用いて本発明の第２の実施形態について説明する。
【０１３３】
図８は、第２の実施形態における起動時の手順を示すフローチャートである。第２の実施形態では、三脚にデジタルカメラ１を固定した撮影（三脚固定撮影と呼ぶ。）かどうか、を判定するステップ１０５を図３で説明した手順に加えている。図３で説明したステップと同一のステップには同番号を付し、説明を省略する。
【０１３４】
なお、図８においても、デジタルカメラ１の電源スイッチ９４がオンになってからの処理について説明する。また、デジタルカメラ１の撮影モード等各種設定は、予め撮影者が設定し、カメラの使用状態としてＲＡＭ７５に記憶されているものとする。インターバル撮影時はＣＰＵ７０により、自動的に所定の周期で電源スイッチ９４がオンになるものとする。
【０１３５】
Ｓ１０２：電池２７の電圧ＶｏとＶｔｈ０とを比較するステップである。
【０１３６】
Ｖｏ＜Ｖｔｈ０の場合、（ステップＳ１０２；Ｎｏ）、ステップＳ１２０に進む。
【０１３７】
Ｓ１２０：電池切れ警告を行うステップである。
【０１３８】
Ｖｏ＜Ｖｔｈ０の場合、電池２７の電圧が不十分なので電池切れ警告を行って終了する（ステップＳ１２０）。
【０１３９】
Ｖｏ≧Ｖｔｈ０の場合、（ステップＳ１０２；Ｙｅｓ）、ステップＳ１０３に進む。
【０１４０】
Ｓ１０３：起動モード判定部７９が、撮影モードか、否か、判定するステップである。
【０１４１】
撮影モードではない場合、（ステップＳ１０３；Ｎｏ）、ステップＳ１３０に進む。
【０１４２】
Ｓ１３０：再生時の起動を行うステップである。
【０１４３】
Ｓ１３１：ユーザが再生操作を行った画像を再生するステップである。
【０１４４】
撮影モードの場合、（ステップＳ１０３；Ｙｅｓ）、ステップＳ１０４に進む。
【０１４５】
Ｓ１０４：インターバル撮影モードか、否か、判定するステップである。
【０１４６】
インターバル撮影ではない場合、（ステップＳ１０４；Ｎｏ）、ステップＳ１０５に進む。
【０１４７】
Ｓ１０５：起動モード判定部７９が、三脚にデジタルカメラ１を固定した撮影か、否か、判定するステップである。
【０１４８】
三脚取り付け検知スイッチ１０５が三脚へ取り付けられている状態ではない場合、（ステップＳ１０５；Ｎｏ）、起動モード判定部７９は通常撮影モードと判定し、ステップＳ１０７に進む。
【０１４９】
Ｓ１０７：通常撮影時の起動を行うステップである。
【０１５０】
インターバル撮影、または三脚固定撮影ではない場合、起動モード判定部７９が、通常撮影時起動ルーチンをコールし、撮影準備状態にするための起動を行う（ステップＳ１０７）。
【０１５１】
インターバル撮影の場合、（ステップＳ１０４；Ｙｅｓ）、ステップＳ１０８に進む。
【０１５２】
三脚固定撮影の場合、（ステップＳ１０５；Ｙｅｓ）、ステップＳ１０８に進む。
【０１５３】
Ｓ１０８：省電力撮影時の起動を行うステップである。
【０１５４】
インターバル撮影、または三脚固定撮影の場合、省電力撮影起動ルーチンをコールし、撮影準備状態にするための起動を行う（ステップＳ１０７）。
【０１５５】
Ｓ１０９：撮影待機状態のステップである。
【０１５６】
Ｓ１１０：撮影のステップである。
【０１５７】
以上で撮影モードの処理は終了である。
【０１５８】
三脚固定撮影では、撮影の準備に時間をかけても良い場合が多く、デジタルカメラ１の起動を急ぐよりも、電池による撮影可能時間が長いことを望まれている。本実施形態では、三脚固定撮影の判定を加え、三脚固定時は省電力時起動モードにするので、電池による長時間の撮影が可能になる。なお、本実施形態ではステップＳ１０４でインターバル撮影モードの判定を行っているが、ステップＳ１０４を省略し、ステップＳ１０５の三脚固定撮影の判定のみを行ってもよい。
【０１５９】
次に図９を用いて第３の実施形態について説明する。
【０１６０】
図９は、第３の実施形態における起動時の手順を示すフローチャートである。第３の実施形態では、電池電圧Ｖｏを第１の閾値電圧Ｖｔｈ１、第２の閾値電圧Ｖｔｈ２と比較する手順に加えている。図３、図８で説明したステップと同一のステップの説明は同番号を付し、省略する。
【０１６１】
なお、図９においても、デジタルカメラ１の電源スイッチ９４がオンになってからの処理について説明する。また、デジタルカメラ１の撮影モード等各種設定は、予め撮影者が設定し、カメラの使用状態としてＲＡＭ７５に記憶されているものとする。インターバル撮影時はＣＰＵ７０により、自動的に所定の周期で電源スイッチ９４がオンになるものとする。
【０１６２】
Ｓ１０１：電池２７の電圧Ｖｏと第１の閾値電圧Ｖｔｈ１とを比較するステップである。
【０１６３】
Ｖｔｈ１は、省電力撮影時起動モードであれば起動できる電池２７の限界の電圧である。例えば、Ｖｔｈ１＝４Ｖとして説明する。
【０１６４】
Ｖｏ＜Ｖｔｈ１の場合、（ステップＳ１０１；Ｎｏ）、ステップＳ１２０に進む。
【０１６５】
Ｓ１２０：電池切れ警告を行うステップである。
【０１６６】
Ｖｏ＜Ｖｔｈ１の場合、電池２７の電圧が不十分なので電池切れ警告を行って終了する（ステップＳ１２０）。
【０１６７】
Ｖｏ≧Ｖｔｈ１の場合、（ステップＳ１０２；Ｙｅｓ）、ステップＳ１０３に進む。
【０１６８】
Ｓ１０３：撮影モードか、否か、判定するステップである。
【０１６９】
撮影モードではない場合、（ステップＳ１０３；Ｎｏ）、ステップＳ１３０に進む。
【０１７０】
Ｓ１３０：再生時の起動を行うステップである。
【０１７１】
Ｓ１３１：ユーザが再生操作を行った画像を再生するステップである。
【０１７２】
撮影モードの場合、（ステップＳ１０３；Ｙｅｓ）、ステップＳ１０４に進む。
【０１７３】
Ｓ１０４：インターバル撮影モードか、否か、判定するステップである。
【０１７４】
インターバル撮影ではない場合、（ステップＳ１０４；Ｎｏ）、ステップＳ１０５に進む。
【０１７５】
Ｓ１０５：起動モード判定部７９が、三脚にデジタルカメラ１を固定した撮影か、否か、判定するステップである。
【０１７６】
三脚取り付け検知スイッチ１０５が三脚へ取り付けられている状態を検知しない場合、（ステップＳ１０５；Ｎｏ）、起動モード判定部７９は通常撮影モードと判定し、ステップＳ１０６に進む。
【０１７７】
Ｓ１０６：電池２７の電圧Ｖｏと第２の閾値電圧Ｖｔｈ２とを比較するステップである。
【０１７８】
Ｖｔｈ２は、通常撮影時起動モードで起動できる電池２７の限界の電圧である。通常撮影時起動モードは消費電力が多いので、Ｖｔｈ２＞Ｖｔｈ１である。例えば、Ｖｔｈ１＝４Ｖ、Ｖｔｈ２＝５Ｖとすると４Ｖ以上５Ｖ未満では、電池の残容量が少なくても起動可能な起動モードで起動する。
【０１７９】
Ｖｏ＜Ｖｔｈ２の場合、（ステップＳ１０６；Ｎｏ）、ステップＳ１０８に進む。
【０１８０】
Ｖｏ＜Ｖｔｈ２の場合、省電力撮影時起動モードで起動するので、ＣＰＵ７０は省電力起動ルーチンをコールする（ステップＳ１０８）。
【０１８１】
Ｖｏ≧Ｖｔｈ２の場合、（ステップＳ１０６；Ｙｅｓ）、ステップＳ１０７に進む。
【０１８２】
Ｓ１０７：通常撮影時の起動を行うステップである。
【０１８３】
Ｓ１０８：省電力撮影時の起動を行うステップである。
【０１８４】
インターバル撮影、三脚固定撮影の場合、またはＶｏ≧Ｖｔｈ２の場合、省電力撮影時起動ルーチンをコールし、撮影準備状態にするための起動を行う（ステップＳ１０７）。
【０１８５】
Ｓ１０９：撮影待機状態のステップである。
【０１８６】
Ｓ１１０：撮影のステップである。
【０１８７】
以上で撮影モードの処理は終了である。
【０１８８】
このように、第３の実施形態では電池２７の電圧をチェックする閾値電圧を通常撮影時の起動可能な閾値電圧Ｖｔｈ１と、省電力撮影時の起動可能な閾値電圧Ｖｔｈ２の２段階設けることにより、電池２７の電圧が低下しても起動は遅くなるが省電力撮影時起動ルーチンによる起動を可能にした。
【０１８９】
なお、本実施形態ではインターバル撮影と三脚固定撮影の判定を行っているが、いずれか一方、または両方のステップを省略しても良い。
【０１９０】
次に、第４の実施形態として、省電力撮影起動ルーチンにおいて撮影レンズ８１のズーム、フォーカス駆動部３３２に供給する電圧を、通常撮影起動ルーチンにおける電圧Ｖｃより低い電圧Ｖｃ’に変更し、さらなる省電力化を行う方法を説明する。
【０１９１】
図１０は省電力撮影起動ルーチンの手順を説明するフローチャートである。図６と同じステップには同番号を付し、説明を省略する。
【０１９２】
Ｓ２０１：電源部２８が、電圧Ｖｂを供給開始するステップである。
【０１９３】
Ｓ２０２：画像処理部２２が初期化するステップである。
【０１９４】
Ｓ３０２：電源制御部６０が、時間ｔ１（ｍｓ）の間待つステップである。
【０１９５】
Ｓ４０２：電源部２８が、電圧Ｖｃ’を供給開始するステップである。
【０１９６】
電源制御部６０は、電源部２８に指令し、撮影レンズ８１の回路部に電圧Ｖｃ’を、図４（ｂ）のＴ４のタイミングで供給を開始する。電圧Ｖｃ’は、通常撮影起動時の電圧Ｖｃより低い、ズーム・フォーカス駆動部３３２がレンズ部３２を駆動可能な電圧である。
【０１９７】
Ｓ３０４：ＣＰＵ７０が、レンズ位置を初期化するステップである。
【０１９８】
ＣＰＵ７０は、ズーム、フォーカス駆動部３３２に指令し、撮影レンズ８１のレンズ部３２を所定の撮影可能位置までの移動を開始する。
【０１９９】
Ｓ４０３：電源制御部６０が、時間ｔ４（ｍｓ）の間待つステップである。
【０２００】
ステップＳ３０５において、電源制御部６０はレンズ部３２を所定の撮影可能位置までの移動が完了するまでの時間ｔ４（ｍｓ）の間、待機する。電圧Ｖｃより低い電圧Ｖｃ’でレンズ部３２を駆動しているので、所定の撮影可能位置までの移動する時間は、図４のｔ２（ｍｓ）より長くなるが、消費電力が減るのでこの間の電池電圧の低下は少なくなる。
【０２０１】
Ｓ３０６：電源制御部６０が、電圧Ｖｅを供給するステップである。
【０２０２】
Ｓ３０７：電源制御部６０が、電圧Ｖｄを供給するステップである。
【０２０３】
以上で省電力撮影起動時の電源供給の手順は終了である。
【０２０４】
このように、本実施形態では、最も電力を消費するズーム、フォーカス駆動部３３２に供給する電圧を低くすることにより、電池２７の供給する電力が減るので、電池２７の寿命が長くなり、長時間の撮影が可能になる。
【０２０５】
以上のように本実施形態によれば、撮影に支障がないようにデジタルカメラの起動時の電力消費を低減し、電池による長時間の撮影を可能にする撮像装置および撮像装置の起動方法を提供できる。
【０２０６】
なお、本実施形態としてデジタルカメラを例示したが、携帯電話やビデオカメラなどにも適用可能である。
【図面の簡単な説明】
【０２０７】
【図１】本発明に係る撮像装置の一例であるデジタルカメラ１の外観図である。
【図２】本発明に係わるデジタルカメラ１の内部構成を示す概略ブロック図である。
【図３】第１の実施形態における起動時の流れを示すフローチャートである。
【図４】本発明に係わるデジタルカメラ１の各回路部への電源供給のタイミングと電池電圧との関係の一例を説明するための説明図である。
【図５】通常撮影起動ルーチンの手順を示すフローチャートである。
【図６】省電力撮影起動ルーチンの手順を示すフローチャートである。
【図７】再生起動ルーチンの手順を示すフローチャートである。
【図８】第２の実施形態における起動時の手順を示すフローチャートである。
【図９】第３の実施形態における起動時の手順を示すフローチャートである。
【図１０】省電力撮影起動ルーチンの手順を説明するフローチャートである
【符号の説明】
【０２０８】
１  デジタルカメラ
５  ＣＣＤ
２２  画像処理部
２３  画像メモリ
２５  メモリカード
２７  電池
２８  電源部
２９  撮像部
４４  手ぶれ検出部
６０  電源制御部
７０  ＣＰＵ
７７  補正データ作成部
７８  手ぶれ制御部
７９  起動モード判定部
８０  電圧比較部
８１  撮影レンズ
１０５  三脚取付検知スイッチ
【図１】
2007221205.tif 000003
【図２】
2007221205.tif 000004
【図３】
2007221205.tif 000005
【図４】
2007221205.tif 000006
【図５】
2007221205.tif 000007
【図６】
2007221205.tif 000008
【図７】
2007221205.tif 000009
【図８】
2007221205.tif 000010
【図９】
2007221205.tif 000011
【図１０】
2007221205.tif 000012